(57)【要約】【課題】医師がスムーズに時間的に早く、かつ楽に治療行為を行うことが出来るという診療用ユニットを提供すること。【解決手段】フレーム本体（５）と，フレーム本体（５）の頂部中央に設置された高さ調節可能で回動可能な部材（２）を所定の位置に有する支柱（１）と，高さ調節可能で回動可能な部材（２）の所定の外周面に取着された回動可能なアーム（３）と，当該回動可能なアームに取着された医療用喉頭ミラー曇り止め装置（８）が設けられているトレイ（４）と，フレーム本体（５）に置かれた向きを反対に置くことが出来る吸引ボックス（６）と，向きを反対に置くことが出来る制御ボックス（７），とからなる。【選択図】図１
2004129685.tif 000002
【特許請求の範囲】
【請求項１】
フレーム本体（５）と，フレーム本体（５）の頂部中央に設置された高さ調節可能で回動可能な部材（２）を所定の位置に有する支柱（１）と，高さ調節可能で回動可能な部材（２）の所定の外周面に取着された回動可能なアーム（３）と，当該回動可能なアームに取着された医療用喉頭ミラー曇り止め装置（８）が設けられているトレイ（４）と，フレーム本体（５）に置かれた向きを反対に置くことが出来る吸引ボックス（６）と，向きを反対に置くことが出来る制御ボックス（７），とからなることを特徴とする診療用ユニット。
【請求項２】
前記吸引ボックス（６）が引き出し式（１４）になっていることを特徴とする請求項１記載の診療用ユニット。
【請求項３】
前記医療用喉頭ミラー曇り止め装置（８）が、置き台（９）と，置き台（９）の下部に設けられたヒーター（１０）と，ヒーター（１０）の下部に設けられた温度センサー（１１）と，温度センサー（１１）の下部に設けられた制御器（１２）と，制御器（１２）に繋がっているスイッチ（１３）と，からなることを特徴とする請求項１記載の診療用ユニット。
【発明の詳細な説明】
【０００１】
【発明の属する技術分野】
従来の、診療用ユニット、詳しくは歯科用又は耳鼻咽喉科用の診療用ユニットに関する。
【０００２】
【従来の技術】
従来の、診療用ユニットに関しては、歯科治療を極めて清潔な状態で行うことができ、歯科治療を介しての院内感染を完全に防止することが可能な歯科用設備器具システム（例えば特許文献１参照），高齢者や体の不自由な人が容易にうがいし易く、又、入れ歯や補綴物の装着状態のチェック等のためにミラーを椅子に座った患者のほぼ正面の見やすい位置に配置し得るようにした歯科診療ユニット（例えば特許文献１参照）等がある。
【０００３】
【特許文献１】
特開２００１−２４５９０８（発明の詳細な説明［０００６］）
【特許文献２】
特開２００２−２８２２８３（発明の詳細な説明［０００６］）
【０００４】
【発明が解決しようとする課題】
しかし、これら従来の診療用ユニットは、汚水及び汚物を吸引する吸引ユニットが収納されている吸引ボックス，吸引ユニットを作動させる装置が収納されている制御ボックスが右利きの医師、左利きの医師どちらの医師でも使えるように向きを反対にすることが出来るよう配置すること，医師の背の高さに応じて支柱が上下に動いて高さ調節することができること，綿棒，ピンセット，舌圧子等を乗せるトレイが医療用喉頭ミラー曇り止め装置を有することにより、医師がスムーズに時間的に早く、かつ楽に治療行為を行うことが出来るという診療用ユニットは示していない。
【０００５】
そこで本発明は、医師がスムーズに時間的に早く、かつ楽に治療行為を行うことが出来るという診療用ユニットを提供することを目的とする。
【０００６】
【課題を解決するための手段】
前記目的を達成するために、本発明の診療用ユニットは、フレーム本体と，フレーム本体の頂部中央に設置された高さ調節可能で回動可能な部材を所定の位置に有する支柱と，高さ調節可能で回動可能な部材の所定の外周面に取着された回動可能なアームと，当該回動可能なアームに取着された医療用喉頭ミラー曇り止め装置が設けられているトレイと，フレーム本体に置かれた向きを反対に置くことが出来る吸引ボックスと，向きを反対に置くことが出来る制御ボックス，とからなる。
又、前記吸引ボックスが引き出し式になっていることが好適である。
【０００７】
又、本発明のトレイに設けられた医療用喉頭ミラー曇り止め装置は、置き台と，置き台の下部に設けられたヒーターと，ヒーターの下部に設けられた温度センサーと，温度センサーの下部に設けられた制御器と，制御器に繋がっているスイッチと，からなる。
【０００８】
【発明の実施の形態】
以下本発明の実施の形態の一例を図面に基づいて説明する。
【０００９】
図１は本発明の診療用ユニットを示す図である。
フレーム本体５の頂部中央に設置された高さ調節可能で回動可能な部材２を所定の位置に有する支柱１が設置されている。中央に支柱が設けられていることで図２，図３に示す如く吸引ボックス６，制御ボックス７の向きが変わってもそれに対応出来るようになっている。
【００１０】
高さ調節可能で回動可能な部材２に回動可能なアーム３が取着されているので上下、左右に自由自在に当該アーム３が動くため診療用椅子に乗れない患者（例えば車椅子使用の方等）の診療も可能となる。
【００１１】
ピンセット、舌圧子等の治療用器具を乗せるトレイ４が回動可能なアーム３が取着されているので、トレイ４も自在に動くことになり医師の疲労軽減になるものである。
【００１２】
又、支柱１が約１５ｃｍ上下出来るように高さを調節することが出来るようになっているため医師は座位診断、立位診断の両方に対応出来るものである。
【００１３】
図２は医師が右利きである場合の診療用ユニットを示す図である。
汚水及び汚物用容器１５，と予備の汚水及び汚物用容器１６等が収納されている引き出し１４が右側にある状態を示している。
【００１４】
図３は医師が左利きである場合の診療用ユニットを示す図である。
図２とは逆の方向に吸引ボックス６を配置するため前記引き出し１４が左側にある状態を示している。吸引ボックス６と同様に制御ボックス７も反対にすることにより左利きの医師にも対応できるようになるものである。
【００１５】
又吸引ボックス６の前記容器１５，１６を収納する場所が引き出し１４になっているので骨が折れず楽に前記容器１５，１６を出したり、入れたりすることが出来るものである。
【００１６】
図４は医療用喉頭ミラー曇り止め装置を示す図である。
置き台９の上にはコップ１８が乗っており（図示していないがトレイでも良い。）そのコップ１８の内に生水，アルコール水を入れておき，その内に喉頭ミラー１７を入れる。置き台９の下部にはヒーター１０が設置され、コップ１８を常時一定の温度に加熱することが出来るようになっている。ヒーター１０の下部には温度センサー１１が設けられヒーターの温度を監視する役割をしている。
温度センサー１１の下部には制御器１２がもうけられ温度センサーからの報告を受け温度を一定に調節する役割をしている。
制御器１２はスイッチ１３につながっており、スイッチが入ることによりヒーター１０，温度センサー１１，制御器１２が作動するようになっている。
【００１７】
喉頭ミラー１７を使用するとき、室温（診療室）に置かれている喉頭ミラー１７が口腔内の温度と室温の温度差によって鏡面に微細な水滴が付着すると曇りが出来、診察に支障をきたす。この場合、ドライヤーなどで喉頭ミラー鏡面の温度を上げる等の方法がとられているが、このような場合は装置が複雑になること、ミラー面の温度上昇までに時間がかかること、診察室のクリーンでない空気を吹きつけるので、細菌、雑菌の付着の可能性があり、清潔に問題が生じるが、本発明の医療用喉頭ミラー曇り止め装置８を使用すれば、コップ１８内の常時暖まってまっている生水又はアルコール水の内に喉頭ミラー１７が入っているため診察時の時間的ロスがなく、さらに直接室内空気にさらされていないため雑菌、細菌の付着の可能性がなくなる。
【００１８】
【発明の効果】
本発明は以上の構成を有するので、医師がスムーズに時間的に早くかつ楽に治療行為を行うことが出来るものである。
【図面の簡単な説明】
【図１】診療用ユニットを示す図である。
【図２】医師が右利きである場合の診療用ユニットを示す図である。
【図３】医師が左利きである場合の診療用ユニットを示す図である。
【図４】医療用喉頭ミラー曇り止め装置を示す図である。
【符号の説明】
１　　　支柱
２　　　高さ調節可能で回動可能な部材
３　　　回動可能なアーム
４　　　トレイ
５　　　フレーム本体
６　　　吸引ボックス
７　　　制御ボックス
８　　　医療用喉頭ミラー曇り止め装置
９　　　置き台
１０　　ヒーター
１１　　温度センサー
１２　　制御器
１３　　スイッチ
１４　　引き出し
１５　　汚水及び汚物用容器
１６　　予備の汚水及び汚物用容器
１７　　喉頭ミラー
１８　　コップ
【図１】
2004129685.tif 000003
【図２】
2004129685.tif 000004
【図３】
2004129685.tif 000005
【図４】
2004129685.tif 000006